(57)【要約】   使用者によって身につけられるラウドスピーカ収納体（１，１’、１’’、１’’’）であって、ラウドスピーカ収納体（１，１’、１’’、１’’’）はバンドの形状を成し、ラウドスピーカ収納体（１，１’、１’’、１’’’）は少なくとも二つのスピーカ（２）を備える。このようにして、ＣＤプレーヤ、ＭＰ３プレーヤ等の携帯電子装置からの音声信号がラウドスピーカ収納体（１，１’、１’’、１’’’）を介して出力されてもよい。
2008538887.tif 000002
【特許請求の範囲】
【請求項１】
使用者によって身につけられるラウドスピーカ収納体であって、該ラウドスピーカ収納体はバンドの形状を成し、少なくとも複数のスピーカを備えたラウドスピーカ収納体。
【請求項２】
前記ラウドスピーカ収納体は、身につけた状態で閉又は開リングを形成する請求項１に記載のラウドスピーカ収納体。
【請求項３】
前記ラウドスピーカ収納体はベルトとして設計された請求項１に記載のラウドスピーカ収納体。
【請求項４】
前記ラウドスピーカ収納体はブレスレット又はネックバンドとして設計された請求項１に記載のラウドスピーカ収納体。
【請求項５】
前記ラウドスピーカ収納体は互いに離脱可能に接続された複数のセグメントから成る請求項１に記載のラウドスピーカ収納体。
【請求項６】
前記ラウドスピーカ収納体の前記複数のセグメントは複数のヒンジにより互いに接続されている請求項５に記載のラウドスピーカ収納体。
【請求項７】
前記ラウドスピーカ収納体の前記複数のセグメントは複数の配線により互いに接続され、前記複数の配線は少なくとも二つのスピーカを接続している請求項５に記載のラウドスピーカ収納体。
【請求項８】
前記ラウドスピーカ収納体はエラストメリック材料により作られている請求項１乃至７いずれかに記載のラウドスピーカ収納体。
【請求項９】
前記ラウドスピーカ収納体は前記エラストメリック材料に直接埋め込まれている請求項８に記載のラウドスピーカ収納体。
【請求項１０】
前記ラウドスピーカ収納体は同じ複数のスピーカを備える請求項１に記載のラウドスピーカ収納体。
【発明の詳細な説明】
【技術分野】
【０００１】
本発明は、バンド形状を有し、使用者により身につけられ携帯用ラウドスピーカ収納体に関する。
【背景技術】
【０００２】
冒頭のパラグラフに記載されたものと類似の装置は米国特許４４１９７７０から知られている。この文献は、バンド形状のラウドスピーカ収納体に収納されるリストＡＭラジオ受信機を開示している。このラウドスピーカ収納体は、特に、使用者の手首に取り外し可能に取り付けられるブレスレット形状構造をしており、少なくとも、バーアンテナ、基準発振源を形成する発振素子を有する回路板、そして、一つのスピーカを含む。バーアンテナと回路板との間において、やはり、ブレスレット形状構造に収納されたスピーカにより覆われた回路板の方向に、ブレスレット形状構造内において、基準発振源からのパルスのバーアンテナへの影響を少なくするためにバーアンテナと回路板とが離間している。
【発明の開示】
【発明が解決しようとする課題】
【０００３】
ところが、この既知のラウドスピーカ収納体では、スピーカが一つなので、ブレスレットの音発生領域とラウドスピーカ収納体表面との比が非常に小さい。このため、この既知の形態の音質は望ましいものではない。
【０００４】
本発明の目的は、冒頭のパラグラフに記載されたタイプで、上記問題を解決したラウドスピーカ収納体を提供することを目的としている。
【課題を解決するための手段】
【０００５】
上記目的を達成するために、本発明の特徴が本発明のラウドスピーカ収納体を備え、従って、本発明のラウドスピーカ収納体は以下のように特徴付けられる。
【０００６】
使用者によって身につけられるラウドスピーカ収納体であって、該ラウドスピーカ収納体はバンドの形状を成し、前記ラウドスピーカ収納体は少なくとも二つのスピーカを備える。
【０００７】
本発明の特徴的要素により、再生される音声の質が格段に良くなるという効果がある。さらに、ブレスレットの音発生領域とラウドスピーカ収納体表面の表面との比が非常に大きいので、小さなサイズで音量が比較的大きくなる。この創意に富むラウドスピーカ収納体を用いることにより、例えば、二人の走者が走行中に同じ音楽を聴くことができ、これは、代わりに二つのヘッドホンが用いられた場合は、これは不可能又は少なくとも不便となる。
【０００８】
前記ラウドスピーカ収納体が身につけた状態で閉又は開リングを形成する場合は、前記ラウドスピーカ収納体は使用者に簡単に装着することができ、前記ラウドスピーカ収納体が使用者から落ちることが効果的に防止できるという効果がある。
【０００９】
本発明の一実施形態によれば、前記ラウドスピーカ収納体はベルトとして設計される。これにより、ラウドスピーカ収納体は使用者の腰に大変簡単に身につけられ、ラウドスピーカ収納体の表面が複数のスピーカためのスペースを提供する。
【００１０】
しかし、前記ラウドスピーカ収納体がブレスレット又はネックバンドとして設計されると特に効果的であることが分かっている。これにより、前記ラウドスピーカ収納体がブレスレットの形態の場合、腕を動かすことにより前記ラウドスピーカ収納体の位置が大変簡単に変えられ、そして、前記ラウドスピーカ収納体がネックバンドの形態の場合、前記ラウドスピーカ収納体の位置が耳に近くなるという効果がある。
【００１１】
本発明の一実施形態によれば、前記ラウドスピーカ収納体は互いに離脱可能に接続された複数のセグメントから成る。これにより、セグメントを外す又は加えることにより、前記ラウドスピーカ収納体のサイズが簡単に変えられる。
【００１２】
前記ラウドスピーカ収納体の複数のセグメントが複数のヒンジにより互いに接続される場合は、セグメントを外す又は加えることが非常に簡単になる。
【００１３】
前記ラウドスピーカ収納体の複数のセグメントが複数の配線により互いに接続され、前記複数の配線は少なくとも二つのスピーカを接続する場合は、前記ラウドスピーカ収納体の製造がさらに簡単になる。スピーカを接続する配線は前記セグメントをも接続するのに用いられるので、例えば、ヒンジ等のさらなる手段を用いずに前記セグメントを接続することができる。
【００１４】
前記ラウドスピーカ収納体がエラストメリック材料により作られる場合は、前記ラウドスピーカ収納体の製造が大変簡単にでき、前記ラウドスピーカ収納体の異なる設計の可能性が数段高まる。
【００１５】
好ましくは、前記ラウドスピーカ収納体は前記エラストメリック材料に直接埋め込まれる。これにより、前記ラウドスピーカ収納体の製造がさらに簡単になり、前記ラウドスピーカ収納体の清掃も簡単になる。前記ラウドスピーカ収納体の清掃が簡単になるという可能性は、スポーツを行っている際に前記ラウドスピーカ収納体が身につけられている場合に特に効果的である。
【００１６】
本発明のさらなる別の実施形態によれば、前記ラウドスピーカ収納体は同じ複数のスピーカを備える。これにより、使用者の手首又は腰で前記ラウドスピーカ収納体が移動しても音声再生は基本的に変化しないという効果がある。さらに、同じスピーカを用いることにより、そのようなラウドスピーカ収納体の製造が簡単になる。
【００１７】
前記ラウドスピーカ収納体が電子装置を接続するためのソケットを備えると外部電子装置への接続が簡単になるという効果がある。
【００１８】
本発明のこれら及び他のアスペクトが以下に記載される実施形態を参照して明白そして明快となる。
【発明を実施するための最良の形態】
【００１９】
本発明の例が添付図面を参照して説明される。
【００２０】
各図は概略的であり、スケール通りには描かれてはおらず、そして、異なる図面において対応する要素に同一参照番号が用いられている。真の発明のコンセプトから離脱せずに、代替えに、しかし、本発明と等価の実施形態が可能であり、本発明の範疇は請求の範囲のみにより限定されることが当業者には明らかとなろう。
【００２１】
図１は、本発明の、ブレスレットを形成するバンド形状のラウドスピーカ収納体１を示す。図示されているラウドスピーカ収納体１は、使用者の手首又は足首に取り外し可能に取り付けられる、開リング形状をしている。ラウドスピーカ収納体１は二つ以上のスピーカ２を備えている。図示された実施形態では、ラウドスピーカ収納体１は、ラウドスピーカ収納体１又はブレスレットの軸周りに各々配された複数のスピーカ２を備えている。スピーカ２はこの技術分野で知られている従来のスピーカである。しかし、スピーカ２の基礎構造が図５に示され、以下に詳細に説明される。スピーカ２の音発生領域３がブレスレット又はラウドスピーカ収納体１の外側表面に、それぞれ、面している。
【００２２】
さらに、外部電子装置からの音声信号をスピーカ２に供給するためのコード４が設けられている。外部電子装置は、例えば、ラジオ、ＣＤプレーヤ、ＭＰ３プレーヤ等の音声発生装置でもよい。ラウドスピーカ収納体１は、好ましくは、コード４が接続されるソケット５を備える。これとは別に、コード４はラウドスピーカ収納体１と一体化されてもよい。ラウドスピーカ収納体１に伝送された音声信号は、ラウドスピーカ収納体１に埋め込まれた配線によりスピーカ２に供給される。これらの配線は図１には示されていない。さらに、スピーカ２はそれら配線により互いに接続されている。
【００２３】
ラウドスピーカ収納体１は、以下に詳細に説明されるように、弾性のある均質な材料で作られている。スピーカ２は直に均質材料に埋め込まれている。これは、スピーカ２と均質材料との間に何も中間部品が無いことを意味する。
【００２４】
図２は、本発明の、使用者の手首又は足首に取り外し可能に取り付けられるブレスレットを形成するバンド状のラウドスピーカ収納体１’の他の実施形態を示す。図２によれば、ラウドスピーカ収納体１’は閉リング形状をしている。さらに、ラウドスピーカ収納体１’又はバンドはヒンジ７により互いに接続されるセグメント６から成る。幾つかの又はすべてのセグメント６は従来のスピーカ２を備えている。スピーカ２の音発生領域３がブレスレット又はラウドスピーカ収納体１’の外側表面に、それぞれ、面している。スピーカ２は配線により互いに接続されている。音声信号がコード４によりスピーカ２に供給される。コード４はプラグ５’によりラウドスピーカ収納体１’のソケットに接続されている。しかし、これとは別に、コード４はセグメント６と一体化されてもよい。
【００２５】
もし、すべてのセグメント６がスピーカ２を備えるということではない場合は、スピーカ２を備えないセグメント６は、必要に応じて、ヒンジ７を開け又は取り外して、除去されてもよい。従って、ラウドスピーカ収納体１’のサイズが使用者の要求に簡単に応じることができる。
【００２６】
図３に示される本発明の実施形態では、ラウドスピーカ収納体１’’はセグメント６より成る。図２に示される実施形態と異なるのは、スピーカ２を備えるセグメント６’が配線１４により互いに接続されていることである。配線１４は、さらに、セグメント６に備えられたスピーカ２を接続する。音声信号がコード４及び配線１４によりスピーカ２に供給される。コード４はプラグ５’によりラウドスピーカ収納体１’’のソケット５に接続されている。しかし、これとは別に、コード４はセグメント６’と一体化されてもよい。図示されている実施形態によれば、セグメント６’は各々二つのスピーカ２を備えている。しかし、これとは別に、各セグメント６’は如何なる数のスピーカ２を備えることもできる。幾つかのセグメント６’は一つもスピーカ２を有しないようにすることもできることが当業者には明らかである。さらに、スピーカ２の音発生領域３がラウドスピーカ収納体１’’の外側表面に面している。
【００２７】
図２及び図３の実施形態は、ラウドスピーカ収納体１’又は１’’のセグメント６又は６’の幾つかがヒンジ７により互いに接続され、他のセグメント６又は６’が配線１４又は単独配線により接続されるように組み合わされてもよい。
【００２８】
図４は、本発明の、バックルを有するベルト状のラウドスピーカ収納体１’’’を示す。ラウドスピーカ収納体１’’’は使用者の腰に身につけられた場合は閉リングを形成する。ラウドスピーカ収納体１’’’はベルトに埋め込まれたスピーカ２を備え、ラウドスピーカ収納体１’’’が取り付けられた状態で、スピーカ２の音発生領域３が使用者から離間した表面に面する。外部音声源からの音声信号がコード４によりスピーカ２に供給される。本発明のさらなる実施形態によれば、ラウドスピーカ収納体１’’’はネックバンドの形態とすることもできる。
【００２９】
図５は、図４の線Ｖ―Ｖに沿った断面を示す。図５に示されるスピーカ２は図１から図３に示されるスピーカ２と同タイプである。好ましくは、スピーカ２は同じスピーカである。図１から図４に示される実施形態のスピーカ２は一列又は二列を成すが、さらなるスピーカ２の列、又は、その他の如何なるスピーカ２の配置が形成されてもよい。スピーカ２は、磁気回路９と、ダイアフラム１１に接続された所謂ボイスコイル１０とを備える。
【００３０】
ラウドスピーカ収納体１’’を外部電子装置に接続するコード４を介して、電気信号がボイスコイル１０に供給されると、ボイスコイル１０がダイアフラム１１を振動させ、供給された電気信号の周波数で音声を再生する。スピーカ２の音発生領域３上には、ダイアフラム１１と対向する正面部１２が設けられている。この正面部１２は複数の貫通孔１３を有し、ダイアフラム１１から伝達された音波がこれら貫通孔１３を通過する。貫通孔１３を薄膜により封止することにより、一側で音声を発し、他側でスピーカ２を埃から防ぐことも考えられる。スピーカ２は配線１４ａにより互いに接続されている。
【００３１】
スピーカ２に供給された音声信号はアナログ信号に加えてデジタル信号として伝送されてもよい。後者の場合、ラウドスピーカ収納体１，１’、１’’、１’’’は、デジタル信号をアナログ信号に変換するさらなる手段と、この信号をブーストする増幅器とを備える。従って、ラウドスピーカ収納体１，１’、１’’、１’’’は、さらに、エネルギ供給源を必要とし、それは、例えば、バッテリ、アキュームレータ、ソーラセル等により設けられてもよく、又は、電子装置の供給電圧をラウドスピーカ収納体１，１’、１’’、１’’’に供給するさらなる配線により設けられてもよい。
【００３２】
さらに、スピーカ２に供給された音声信号は、コード４を用いる代わりに、無線接続により電子装置からラウドスピーカ収納体１に伝送することも可能である。音声信号が無線接続により伝送される場合は、上記のラウドスピーカ収納体１，１’、１’’、１’’’はすべて音声信号を受信するための受信手段を備える。この受信手段は図には示されておらず、それは、例えば、従来のＢｌｕｅｔｏｏｔｈ受信手段とすることができる。上記の自律エネルギ源はここでも必要となる。
【００３３】
さらに、上記記載のすべてのタイプのラウドスピーカ収納体１，１’、１’’、１’’’は好ましくはエラストメリック（ｅｌａｓｔｏｍｅｒｉｃ）材料から作られる。エラストメリック材料は形状を保持するが、柔軟性がある延性プラスティックである。エラストメリック材料は、例えば、ポリウレタン、エチレン・プロピレン・ジエン・モノマー（EPDM）、ポリプロピレンをベースとしたゴム等である。
【００３４】
ラウドスピーカ収納体１，１’、１’’、１’’’がブレスレット又はネックバンドの形態の場合、ポリウレタンを用いるのが特に有効であり、何故ならば、この材料の特性が所望の形状に対し大変簡単に合うからである。ポリウレタンは、ある特定の使用されているモノマーを代え、そして、他の物質を追加することにより、様々な手触り、そして、堅さを有するように作れる。従って、ラウドスピーカ収納体１，１’、１’’、１’’’が閉リング、ブレスレット形状の場合、ウレタン連鎖間に柔軟なポリエチレン・グリコールのセグメントを追加したポリウレタンを用いることにより、ラウドスピーカ収納体１，１’、１’’、１’’’をさらに柔軟に作れることができる。
【００３５】
ラウドスピーカ収納体１，１’、１’’、１’’’がベルトの形態の場合、EPDMを用いるのが特に有効であり、何故ならば、この材料は柔軟性が高く、尺寸安定性（ｄｉｍｅｎｓｉｏｎａｌ  ｓｔａｂｉｌｉｔｙ）が高いからである。
【００３６】
最後に、スピーカ２は、製造工程において、エラストメリック材料内に大変簡単に埋め込むことができる。エラストメリック材料を泡状自己硬化型（ｓｅｌｆ  ｈａｒｄｉｎｇ  ｆｏｒｍ）のポリウレタンとすると、スピーカ２と、スピーカ２を接続する配線１４ａ又は１４を硬化前に泡内に押し込めることができる。ポリウレタンを用いることのさらなる効果はラウドスピーカ収納体１，１’、１’’、１’’’の重量をかなり下げることができるということである。
【００３７】
上記実施形態は本発明を限定するものではなく、当業者で在れば請求の範囲に規定された本発明の範疇から逸脱することなく多くのさらなる実施形態を構想することができることが理解されるところである。文言「備え」及び「備える」、そしで、同様な文言は請求の範囲又は明細書全体に記載された要素又はステップを排除するものではない。ある要素を一つとして参照した場合でもそのような要素が複数ある場合を排除するものではなく、逆もそうである。様々な手段を列挙した装置請求項において、これらの手段の幾つかは一つの同じハードウエアとして構成されてもよい。各手段が互いに異なる従属項で列挙されたからといって、それら手段の組み合わが効果的に用いられないことを意味するものではない。
【図面の簡単な説明】
【００３８】
【図１】本発明の、ブレスレット形状のラウドスピーカ収納体の第一の実施形態を示す図である。
【図２】本発明の、ブレスレット形状のラウドスピーカ収納体の第二の実施形態を示す図である。
【図３】本発明の、ブレスレット形状のラウドスピーカ収納体の第三の実施形態を示す図である。
【図４】本発明の、ベルト形状のラウドスピーカ収納体の第四の実施形態を示す図である。
【図５】図３の線ＩＶ―ＩＶに沿った断面を示す図である。
【図１】
2008538887.tif 000003
【図２】
2008538887.tif 000004
【図３】
2008538887.tif 000005
【図４】
2008538887.tif 000006
【図５】
2008538887.tif 000007
【国際調査報告】
2008538887.tif 000008
2008538887.tif 000009
2008538887.tif 000010